(57)【要約】【課題】  演奏者の身長に関係なく最適な姿勢での演奏操作を可能とする鍵盤楽器を提供する。【解決手段】  本電子オルガン１００は、支持板１１０Ｌ，１１０Ｒによって支持された鍵盤ユニット１２０と、外部操作により上下方向の長さが伸縮するジャッキアップ機構１４０Ｌ，１４０Ｒによって支持された足鍵盤ペダル１３２，１３２，…及びエクスプレッションペダル１３３を有するペダルユニット１３０を備えており、エクスプレッションペダル１３３は、ペダルユニット本体１３１の上面１３１ｂに配置されたジャッキアップ機構１４０Ｕによって下側から支持されている。そのため、本電子オルガン１００において、足鍵盤ペダル１３２，１３２，…の高さ位置は、ジャッキアップ機構１４０Ｌ，１４０Ｒにより調整可能となっており、エクスプレッションペダル１３３の高さ位置は、ジャッキアップ機構１４０Ｌ，１４０Ｒ，１４０Ｕにより調整可能となっている。【選択図】  図１
2007057693.tif 000002
【特許請求の範囲】
【請求項１】
鍵盤を有する鍵盤ユニットと、
前記鍵盤ユニットよりも低い第１の高さ位置と、この第１の高さ位置よりも更に低い第２の高さ位置と、に配置された複数のペダルと、
を備えた鍵盤楽器において、
前記鍵盤ユニットの高さ位置と前記第１の高さ位置との間の距離と、前記鍵盤ユニットの高さ位置と前記第２の高さ位置との間の距離とを、それぞれ独立して調整可能とする距離調整手段を備えたこと
を特徴とする鍵盤楽器。
【請求項２】
前記距離調整手段は、
前記第１の高さ位置を調整するための位置調整手段と、
前記第２の高さ位置を調整するための位置調整手段と、
を備えていることを特徴とする請求項１に記載の鍵盤楽器。
【請求項３】
前記距離調整手段は、
前記鍵盤ユニットの高さ位置を調整するための位置調整手段と、
前記第２の高さ位置を調整するための位置調整手段と、
を備えていることを特徴とする請求項１に記載の鍵盤楽器。
【請求項４】
前記距離調整手段は、
前記鍵盤ユニットの高さ位置を調整するための位置調整手段と、
前記第１の高さ位置を調整するための位置調整手段と、
を備えていることを特徴とする請求項１に記載の鍵盤楽器。
【請求項５】
前記各位置調整手段は、
外部操作により伸縮するパンタグラフ状に構成されていること
を特徴とする請求項２から請求項４までのいずれか１項に記載の鍵盤楽器。
【発明の詳細な説明】
【技術分野】
【０００１】
本発明は、複数のペダルを備えた鍵盤楽器に関するものである。
【背景技術】
【０００２】
従来、手（指）による演奏操作を行うための鍵盤を有する鍵盤ユニットに加え、足による演奏操作を行うための複数のペダルを備えた鍵盤楽器が知られている。例えば、電子ピアノは、踏み操作開始後に出力された楽音の減衰時間（余韻）を変化させるためのダンパペダルと、踏み操作開始前に出力された楽音の減衰時間を変化させるためのソステヌートペダルと、出力する楽音の音量及び音色を変化させるためのソフトペダルとを備えている。また、例えば、電子オルガンは、楽音の高さ（周波数）や出力するタイミング等を指定するための複数の足鍵盤ペダルと、出力する楽音の音量を調整するためのエクスプレッションペダルとを備えている。なお、こうした鍵盤楽器では、演奏用の椅子に着座した演奏者により演奏操作が行われる。
【０００３】
また、このような構成の鍵盤楽器において、鍵盤ユニットの高さ位置とペダルの高さ位置との間の距離は、平均的な身長の演奏者（成人）が最適な姿勢で演奏操作を行うことができるように設計されている。そのため、例えば幼児等の身長の低い演奏者が演奏操作を行う場合には、鍵盤ユニットとペダルとが離れすぎているためにペダルに足が届かず、ペダルによる演奏操作を行うことができない。
【０００４】
そこで、ペダルの高さ位置を調整可能とした電子オルガンが提案されている（特許文献１参照）。この電子オルガンは、足鍵盤とエクスプレッションペダルとが一体的に構成された足鍵ユニットと、上下方向に複数個の高さ調整孔が形成された電子オルガン本体の左右親板とを備えており、左右の親板間に嵌挿した足鍵ユニットを複数個の高さ調整孔のいずれかに挿入した係止部材で係止することでその高さ位置を調整可能としている。
【特許文献１】実開平６−２１０９２号公報
【発明の開示】
【発明が解決しようとする課題】
【０００５】
ところで、複数のペダルを備えた鍵盤楽器の中には、異なる高さ位置にペダルが配置された構成のものがある。例えば、足鍵盤とエクスプレッションペダルとを備えた電子オルガンでは、足鍵盤よりも高い位置にエクスプレッションペダルが配置されていることが一般的である。そして、このような構成の電子オルガンにおいては、足鍵盤の高さ位置とエクスプレッションペダルの高さ位置との間の距離も、平均的な身長の演奏者が最適な姿勢で演奏操作を行うことができるように設計されている。
【０００６】
したがって、こうした鍵盤楽器の場合、上記特許文献１に記載のようにすべてのペダルの高さ位置を一体的に調整したのでは、各ペダルの位置を演奏操作に最適な位置には調整することができないという問題がある。すなわち、例えば幼児が演奏する場合、すべてのペダルの高さ位置を一体的に高く調整することでペダルに足が届くようにすることはできるものの、異なる高さ位置に配置されたペダル間の高低差は成人を基準とした高低差のままであるため、最適な演奏姿勢とはならない場合が考えられる。
【０００７】
本発明は、こうした問題にかんがみてなされたものであり、演奏者の身長に関係なく最適な姿勢での演奏操作を可能とする鍵盤楽器を提供することを目的とする。
【課題を解決するための手段】
【０００８】
上記目的を達成するためになされた本発明の請求項１に記載の鍵盤楽器は、鍵盤を有する鍵盤ユニットと、この鍵盤ユニットよりも低い第１の高さ位置及びこの第１の高さ位置よりも更に低い第２の高さ位置に配置された複数のペダルとを備えたものである。さらに、本鍵盤楽器は、鍵盤ユニットの高さ位置と第１の高さ位置との間の距離と、鍵盤ユニットの高さ位置と第２の高さ位置との間の距離とを、それぞれ独立して調整可能とする距離調整手段を備えている。このため、本鍵盤楽器によれば、演奏者の身長に関係なく最適な姿勢での演奏操作が可能となる。すなわち、複数のペダルの高さ位置を一体的に調整する構成では、鍵盤ユニットの高さ位置とペダルの高さ位置との間の距離を調整することはできるものの、異なる高さ位置に配置されたペダル間の高低差については調整することができないため、演奏者が最適な演奏姿勢をとることができない場合が考えられる。これに対し、本発明の鍵盤楽器では、距離調整手段により鍵盤ユニットの高さ位置と第１の高さ位置及び第２の高さ位置との間の各距離をそれぞれ独立して調整できるため、演奏者が最適な演奏姿勢をとることのできる調整が可能となる。
【０００９】
ここで、距離調整手段は、具体的には、例えば請求項２〜４のように構成することができる。
すなわち、請求項２に記載の鍵盤楽器では、上記請求項１に記載の鍵盤楽器において、距離調整手段は、第１の高さ位置を調整するための位置調整手段（第１ペダル位置調整手段）と、第２の高さ位置を調整するための位置調整手段（第２ペダル位置調整手段）とを備えている。つまり、本鍵盤楽器においては、第１の高さ位置と第２の高さ位置とをそれぞれ調整可能とすることによって、鍵盤ユニットの高さ位置と第１の高さ位置及び第２の高さ位置との間の各距離をそれぞれ独立して調整可能としている。このように構成された鍵盤楽器によれば、部品点数が多くペダルに比べて質量の大きい鍵盤ユニットの高さ位置を調整する必要がないため、鍵盤ユニットの高さ位置と第１の高さ位置及び第２の高さ位置との間の各距離の調整作業を容易に行うことができる。
【００１０】
また、請求項３に記載の鍵盤楽器では、上記請求項１に記載の鍵盤楽器において、距離調整手段は、鍵盤ユニットの高さ位置を調整するための位置調整手段（鍵盤位置調整手段）と、第２の高さ位置を調整するための位置調整手段（第２ペダル位置調整手段）とを備えている。つまり、本鍵盤楽器においては、鍵盤ユニットの高さ位置と第２の高さ位置とをそれぞれ調整可能とすることによって、鍵盤ユニットの高さ位置と第１の高さ位置及び第２の高さ位置との間の各距離をそれぞれ独立して調整可能としている。このように構成された鍵盤楽器によれば、演奏者が椅子に着座しやすくすることができる。すなわち、演奏者が着座する椅子の着座面は、鍵盤ユニットの高さ位置よりも低く、ペダルの高さ位置よりも高い位置に設定される。このため、鍵盤ユニットの高さ位置を基準としてペダルの高さ位置を調整する構成の場合には、演奏者の身長が低いほど椅子の着座面を高く調整する必要があり、椅子への着座が困難となってしまう。これに対し、請求項３の鍵盤楽器では、第１の高さ位置を基準として鍵盤ユニットの高さ位置と第２の高さ位置とを調整する構成であるため、演奏者の身長が低いほど椅子の着座面を低く調整することとなる。このため、演奏者の椅子への着座を比較的容易にすることができる。
【００１１】
さらに、請求項４に記載の鍵盤楽器では、上記請求項１に記載の鍵盤楽器において、距離調整手段は、鍵盤ユニットの高さ位置を調整するための位置調整手段（鍵盤位置調整手段）と、第１の高さ位置を調整するための位置調整手段（第１ペダル位置調整手段）とを備えている。つまり、本鍵盤楽器においては、鍵盤ユニットの高さ位置と第１の高さ位置とをそれぞれ調整可能とすることによって、鍵盤ユニットの高さ位置と第１の高さ位置及び第２の高さ位置との間の各距離をそれぞれ独立して調整可能としている。このように構成された鍵盤楽器によれば、上記請求項３の鍵盤楽器と同様、演奏者の身長が低いほど椅子の着座面を低く調整することとなるため、演奏者が椅子に着座しやすくすることができる。特に、請求項４の鍵盤楽器では、第１の高さ位置よりも低い第２の高さ位置を基準として椅子の着座面の高さを調整することとなるため、演奏者の椅子への着座を一層容易にすることができる。
【００１２】
ところで、上述の各位置調整手段としては、例えば、高さ位置を調整する対象の鍵盤ユニットやペダルを、複数とおりの高さ位置において着脱可能に支持する構成が考えられる。ただし、このような構成では、鍵盤ユニットやペダルの高さ位置を調整する場合に、これらを取り外したり取り付けたりする作業を行う必要があり、調整作業が煩雑となる。
【００１３】
そこで、請求項５に記載の鍵盤楽器のように、各位置調整手段を、外部操作により伸縮するパンタグラフ状に構成するとよい。このような構成の鍵盤楽器によれば、高さ位置を調整する対象の鍵盤ユニットやペダルを取り外すことなく、鍵盤ユニットの高さ位置と第１の高さ位置及び第２の高さ位置との間の各距離をそれぞれ独立して調整することが可能となるため、調整作業を簡略化することができる。
【発明を実施するための最良の形態】
【００１４】
以下、本発明が適用された実施形態について、図面を用いて説明する。
［第１実施形態］
図１は、第１実施形態の鍵盤楽器としての電子オルガン１００の外観図である。
【００１５】
同図に示すように、この電子オルガン１００は、支持板１１０Ｌ，１１０Ｒと、鍵盤ユニット１２０と、ペダルユニット１３０とを備えている。なお、以下の説明では、便宜上、本電子オルガン１００を演奏する演奏者（図示せず）を想定し、その演奏者を基準として、上下、前後及び左右の方向を表現する。
【００１６】
支持板１１０Ｌ，１１０Ｒは、上下方向に長い長方形の上部及び下部が演奏者側（後方）へ延長された全体として略コの字状の板材であり、本電子オルガン１００における左右両側面に立設されている。そして、支持板１１０Ｌ，１１０Ｒは、上部位置において、鍵盤ユニット１２０をその両側面から支持するとともに、下部位置において、ペダルユニット１３０を、その左右両側面に設けられたジャッキアップ機構１４０Ｌ，１４０Ｒを介して支持している。これにより、鍵盤ユニット１２０とペダルユニット１３０とが鉛直方向上下位置に並設されている。
【００１７】
鍵盤ユニット１２０は、本電子オルガン１００が出力する楽音の高さ（周波数）及び出力するタイミング等を指定するための押し操作が行われる複数の鍵からなる鍵盤１２１を有している。つまり、鍵盤１２１の各鍵にはそれぞれ異なった高さの楽音（例えば、Ａ〜Ｇを表す楽音）があらかじめ対応づけられており、鍵を押すことによって対応する楽音が出力される。なお、図示しないが、鍵盤ユニット１２０には、演奏操作に基づき楽音を生成する音源用電子回路や、音源用電子回路によって生成された楽音を出力するスピーカ等が設けられている。
【００１８】
ペダルユニット１３０は、左右方向に長い直方体箱状のペダルユニット本体１３１と、ペダルユニット本体１３１における演奏者側の面１３１ａから突出した複数の足鍵盤ペダル１３２，１３２，…と、ペダルユニット本体１３１の上面１３１ｂにおける左右方向中央よりも右側に配置されたジャッキアップ機構１４０Ｕと、ジャッキアップ機構１４０Ｕの上面において演奏者と対向するように傾斜した状態で踏込面１３３ａが立設されたエクスプレッションペダル１３３とを備えている。このような構成により、エクスプレッションペダル１３３は、鍵盤ユニット１２０よりも低い位置（第１の高さ位置）に配置されており、足鍵盤ペダル１３２，１３２，…は、エクスプレッションペダル１３３よりも更に低い位置（第２の高さ位置）に配置されている。
【００１９】
ここで、足鍵盤ペダル１３２，１３２，…は、本電子オルガン１００が出力する楽音の高さ及び出力するタイミング等を指定するための踏み操作が行われるペダルである。
また、エクスプレッションペダル１３３は、本電子オルガン１００が出力する楽音の音量を調整するためのペダルである。
【００２０】
一方、ジャッキアップ機構１４０Ｌ，１４０Ｒ，１４０Ｕは、外部操作により上下方向の長さ（寸法）が伸縮する構成のものである。そして、本電子オルガン１００では、ペダルユニット本体１３１の左右両側面に配置されたジャッキアップ機構１４０Ｌ，１４０Ｒにより、支持板１１０Ｌ，１１０Ｒに対するペダルユニット本体１３１の上下方向の位置が調整可能となっている。また、エクスプレッションペダル１３３の下側に配置されたジャッキアップ機構１４０Ｕにより、ペダルユニット本体１３１に対するエクスプレッションペダル１３３の上下方向の位置が調整可能となっている。換言すれば、本電子オルガン１００において、足鍵盤ペダル１３２，１３２，…の高さ位置は、ジャッキアップ機構１４０Ｌ，１４０Ｒにより調整可能となっており、エクスプレッションペダル１３３の高さ位置は、ジャッキアップ機構１４０Ｌ，１４０Ｒ，１４０Ｕにより調整可能となっている。
【００２１】
ここで、ジャッキアップ機構１４０Ｌ，１４０Ｒ，１４０Ｕの具体的な構造について説明する。なお、各ジャッキアップ機構１４０Ｌ，１４０Ｒ，１４０Ｕは構造的に同一のものであるため、ここではジャッキアップ機構１４０Ｌを例に挙げて説明する。
【００２２】
図２は、ジャッキアップ機構１４０Ｌの外観図である。
同図に示すように、ジャッキアップ機構１４０Ｌは、左右対称形状のものであり、土台としての下部板１４１と、下部板１４１上面の左右両側に立設されるとともに上下方向の長さが伸縮可能に構成されたＸ形支持機構１４２Ｌ，１４２Ｒと、Ｘ形支持機構１４２Ｌ，１４２Ｒによって下部板１４１の上方に支持された上部板１４３と、下部板１４１上面に配置され、Ｘ形支持機構１４２Ｌ，１４２Ｒの伸縮量を外部操作により調整可能とするための調整機構１４４とを備えている。
【００２３】
下部板１４１は、前後方向に長い長方形状の底壁１４１ａと、底壁１４１ａの左右両端を上方に延設した形状の下部側壁１４１ｂ，１４１ｃとからなるコの字状に折り曲げられた板材である。
【００２４】
また、上部板１４３は、下部板１４１の底壁１４１ａと同一形状の上壁１４３ａと、上壁１４３ａの左右両端を下方に延設した形状の上部側壁１４３ｂ，１４３ｃとからなるコの字状に折り曲げられた板材である。
【００２５】
一方、Ｘ形支持機構１４２Ｌ，１４２Ｒは、細長い板状の２本のリンク材（Ｘ形支持機構１４２Ｌについてはリンク材１４６Ｌ，１４７Ｌ（図示せず）、Ｘ形支持機構１４２Ｒについてはリンク材１４６Ｒ，１４７Ｒ）が、側面からみてＸ形に交差するように組み合わされたものである。そして、各Ｘ形支持機構１４２Ｌ，１４２Ｒにおいて、リンク材１４６Ｌ，１４７Ｌ，１４６Ｒ，１４７Ｒは、その長手方向中央位置で互いに回転可能（交差角度を調整可能）に接続されている。このため、各Ｘ形支持機構１４２Ｌ，１４２Ｒは、リンク材１４６Ｌ，１４７Ｌ，１４６Ｒ，１４７Ｒの交差角度がその前後方向の幅が短くなるように調整されることで上下方向の幅が長くなり、逆に、その前後方向の幅が長くなるように調整されることで上下方向の幅が短くなる。
【００２６】
また、Ｘ形支持機構１４２Ｌのリンク材１４７Ｌ（図示せず）と、これと左右対称に配置されたＸ形支持機構１４２Ｒのリンク材１４７Ｒとは、各下端部が、下部板１４１の左右の下部側壁１４１ｂ，１４１ｃにおける前方端部位置で回転可能に支持されており、各上端部が、上部板１４３の左右の上部側壁１４３ｂ，１４３ｃにおける後方位置で前後方向にスライド移動可能に支持されている。一方、Ｘ形支持機構１４２Ｌのリンク材１４６Ｌと、これと左右対称に配置されたＸ形支持機構１４２Ｒのリンク材１４６Ｒとは、各上端部が、上部板１４３の左右の上部側壁１４３ｂ，１４３ｃにおける前方端部位置で回転可能に支持されている。そして、上部板１４３は、その上壁１４３ａが下部板１４１の底壁１４１ａと平行に、かつ、上方から見て重なる位置に配置されている。
【００２７】
このような構成により、Ｘ形支持機構１４２Ｌのリンク材１４６Ｌ及びＸ形支持機構１４２Ｒのリンク材１４６Ｒの各下端部を前方に（Ｘ形支持機構１４２Ｌのリンク材１４７Ｌ及びＸ形支持機構１４２Ｒのリンク材１４７Ｒの各下端部に近づける方向に）移動させることにより、上部板１４３が下部板１４１から離れる方向に平行移動する。逆に、Ｘ形支持機構１４２Ｌのリンク材１４６Ｌ及びＸ形支持機構１４２Ｒのリンク材１４６Ｒの各下端部を後方に（Ｘ形支持機構１４２Ｌのリンク材１４７Ｌ及びＸ形支持機構１４２Ｒのリンク材１４７Ｒの各下端部から遠ざかる方向に）移動させることにより、上部板１４３が下部板１４１に近づく方向に平行移動する。
【００２８】
一方、調整機構１４４は、リンク材１４６Ｌ，１４６Ｒの各下端部によって両端が支持された左右方向に長い直方体状の部材であってその左右方向中央位置に前後方向に貫通するねじ孔１４９ａが形成された押し部材１４９と、押し部材１４９のねじ孔１４９ａに挿入された円柱状のねじ軸１５０と、下部板１４１の底壁１４１ａに立設され、ねじ軸１５０の長手方向両端部を回転可能に支持する軸支持板１５１ｆ，１５１ｒとを備えている。
【００２９】
ねじ軸１５０には、軸支持板１５１ｆ，１５１ｒによって支持される長手方向両端部を除く外周面に、押し部材１４９のねじ孔１４９ａと螺合するねじ溝が形成されている。また、ねじ軸１５０の後側端部には、ねじ軸１５０を外部操作により回転可能とするとともにねじ軸１５０が前方へ抜けるのを防ぐための円柱状のノブ１５２が固定されている。なお、ねじ軸１５０の前側端部には、図示しないが、ねじ軸１５０が後方へ抜けるのを防ぐためのストッパーが固定されている。
【００３０】
このように構成されたジャッキアップ機構１４０Ｌは、ノブ１５２を回転させる外部操作が行われることによりねじ軸１５０が回転し、ねじ軸１５０の回転方向及び回転量に応じて押し部材１４９が前後方向へ移動する。そのため、押し部材１４９によって、Ｘ形支持機構１４２Ｌ，１４２Ｒの前後方向の長さが伸縮し、これにより上下方向の長さも伸縮する。その結果、下部板１４１に対する上部板１４３の位置（ジャッキアップ機構１４０Ｌの上下方向の長さ）が無段階で調整可能となっている。
【００３１】
そして、第１実施形態の電子オルガン１００において、ジャッキアップ機構１４０Ｌ，１４０Ｒは、その下部板１４１が支持板１１０Ｌ，１１０Ｒの内側面に固定されており、その上部板１４３がペダルユニット本体１３１の左右側面に固定されている。このため、ジャッキアップ機構１４０Ｌ，１４０Ｒの上下方向の寸法を調整することで、ペダルユニット１３０の高さ位置を調整することができる。また、ジャッキアップ機構１４０Ｕは、その下部板１４１がペダルユニット本体１３１の上面１３１ｂに固定されており、その上部板１４３がエクスプレッションペダル１３３に固定されている。このため、ジャッキアップ機構１４０Ｕの上下方向の寸法を調整することで、ペダルユニット本体１３１に対するエクスプレッションペダル１３３の上下方向の位置を調整することができる。
【００３２】
以上説明したように、本第１実施形態の電子オルガン１００によれば、足鍵盤ペダル１３２，１３２，…の高さ位置と、エクスプレッションペダル１３３の高さ位置とをそれぞれ独立して調整することができるため、演奏者は、自身の身長に関係なく、最適な姿勢での演奏操作が可能となる。例えば、身長の低い演奏者が演奏操作を行う場合には、図３に示すように、ジャッキアップ機構１４０Ｌ，１４０Ｒを上下方向に伸ばすことによって鍵盤ユニット１２０と足鍵盤ペダル１３２，１３２，…との間の距離を調整し、さらに、ジャッキアップ機構１４０Ｕを上下方向に縮めることにより、鍵盤ユニット１２０とエクスプレッションペダル１３３との間の距離（足鍵盤ペダル１３２，１３２，…とエクスプレッションペダル１３３との間の距離）を調整する。この結果、演奏者は、最適な姿勢での演奏操作が可能となる。
【００３３】
また、本電子オルガン１００では、ペダルユニット１３０に比べて部品点数が多く質量の大きい鍵盤ユニット１２０の高さ位置を調整する必要がないため、高さの調整作業を容易に行うことができる。
【００３４】
さらに、本電子オルガン１００では、足鍵盤ペダル１３２，１３２，…及びエクスプレッションペダル１３３の各高さ位置をジャッキアップ機構１４０Ｌ，１４０Ｒ，１４０Ｕによって調整する構成としているため、ペダルユニット１３０やエクスプレッションペダル１３３を着脱することで高さ位置を変更する構成に比べて調整作業を簡単に行うことができる。特に、本電子オルガン１００のジャッキアップ機構１４０Ｌ，１４０Ｒ，１４０Ｕは、ノブ１５２の回転量によって高さ位置を無段階に調整可能な構成であるため、高さ位置を段階的に調整する構成に比べてより細かな高さ位置の調整を行うことができる。
【００３５】
加えて、本電子オルガン１００において、エクスプレッションペダル１３３は、ペダルユニット本体１３１の上部に設けられており、足鍵盤ペダル１３２，１３２，…の高さ位置を調整することによりエクスプレッションペダル１３３の高さ位置もそれに合わせて一体的に調整されるため、エクスプレッションペダル１３３を別途調整する手間を少なくすることができる。
【００３６】
なお、本第１実施形態の電子オルガン１００では、足鍵盤ペダル１３２，１３２，…及びエクスプレッションペダル１３３が、本発明のペダルに相当し、ジャッキアップ機構１４０Ｌ，１４０Ｒ，１４０Ｕが、本発明の距離調整手段に相当する。特に、ジャッキアップ機構１４０Ｌ，１４０Ｒ，１４０Ｕが、第１の高さ位置を調整するための位置調整手段（第１ペダル位置調整手段）に相当し、ジャッキアップ機構１４０Ｌ，１４０Ｒが、第２の高さ位置を調整するための位置調整手段（第２ペダル位置調整手段）に相当する。
【００３７】
［第２実施形態］
次に、第２実施形態の鍵盤楽器としての電子オルガン２００について、図４及び図５を用いて説明する。なお、本第２実施形態の電子オルガン２００において、上記第１実施形態の電子オルガン２００と同じ構成要素については、同一の符号を付しているためその説明を省略する。
【００３８】
図４は、第２実施形態の電子オルガン２００の外観図である。
同図に示すように、この電子オルガン２００は、支持体２１０Ｌ，２１０Ｒと、鍵盤ユニット１２０と、ペダルユニット２３０とを備えている。なお、以下の説明では、第１実施形態と同様、本電子オルガン２００を演奏する演奏者（図示せず）を想定し、その演奏者を基準として、上下、前後及び左右の方向を表現する。
【００３９】
支持体２１０Ｌ，２１０Ｒは、上下方向に長い長方形の下部が演奏者側（後方）へ延長された全体として略Ｌ字状の下部支持板２１１Ｌ，２１１Ｒと、下部支持板２１１Ｌ，２１１Ｒの上面に固定されたジャッキアップ機構２４０Ｌ，２４０Ｒと、ジャッキアップ機構２４０Ｌ，２４０Ｒの上面に固定され、上下方向に長い長方形の上部が演奏者側（後方）へ延長された全体として略Ｌ字状の上部支持板２１２Ｌ，２１２Ｒとから構成されている。なお、下部支持板２１１Ｌ，２１１Ｒ及び上部支持板２１２Ｌ，２１２Ｒは、上記第１実施形態の支持板１１０Ｌ，１１０Ｒを上下に分割した形状のものである。つまり、支持体２１０Ｌ，２１０Ｒは、上記第１実施形態の支持板１１０Ｌ，１１０Ｒを上下方向に伸縮可能に構成したものである。
【００４０】
そして、支持体２１０Ｌ，２１０Ｒは、本電子オルガン２００における左右両側面に立設されており、上部支持板２１２Ｌ，２１２Ｒで鍵盤ユニット１２０をその両側面で支持するとともに、下部支持板２１１Ｌ，２１１Ｒでペダルユニット２３０をその両側面から支持している。これにより、鍵盤ユニット１２０とペダルユニット２３０とが鉛直方向上下位置に並設されている。
【００４１】
ペダルユニット２３０は、左右方向に長い直方体箱状のペダルユニット本体２３１と、ペダルユニット本体２３１における演奏者側の面２３１ａから突出した複数の足鍵盤ペダル１３２，１３２，…と、ペダルユニット本体２３１の上面２３１ｂにおける左右方向中央よりも右側に配置されたジャッキアップ機構１４０Ｕと、ジャッキアップ機構１４０Ｕの上面において演奏者と対向するように傾斜した状態で踏込面１３３ａが立設されたエクスプレッションペダル１３３とを備えている。このような構成により、エクスプレッションペダル１３３は、鍵盤ユニット１２０よりも低い位置（第１の高さ位置）に配置されており、足鍵盤ペダル１３２，１３２，…は、エクスプレッションペダル１３３よりも更に低い位置（第２の高さ位置）に配置されている。
【００４２】
ここで、ジャッキアップ機構２４０Ｌ，２４０Ｒは、第１実施形態のジャッキアップ機構１４０Ｌ，１４０Ｒ，１４０Ｕと同様、外部操作により上下方向の長さ（寸法）が伸縮する構成のものである。そのため、本電子オルガン２００では、支持体２１０Ｌ，２１０Ｒにおける上下方向中央位置に設けられたジャッキアップ機構２４０Ｌ，２４０Ｒにより、下部支持板２１１Ｌ，２１１Ｒに対する鍵盤ユニット１２０の上下方向の位置が調整可能となっている。また、エクスプレッションペダル１３３は、第１実施形態の電子オルガン１００と同様、エクスプレッションペダル１３３の下側に配置されたジャッキアップ機構１４０Ｕにより、ペダルユニット本体２３１に対する上下方向の位置が調整可能となっている。換言すれば、本電子オルガン１００において、鍵盤ユニット１２０の高さ位置は、ジャッキアップ機構１４０Ｌ，１４０Ｒにより調整可能となっており、エクスプレッションペダル１３３の高さ位置は、ジャッキアップ機構１４０Ｕにより調整可能となっている。
【００４３】
なお、各ジャッキアップ機構２４０Ｌ，２４０Ｒは、第１実施形態の各ジャッキアップ機構１４０Ｌ，１４０Ｒ，１４０Ｕと構造的に同一のものであるため、具体的な説明を省略する。
【００４４】
以上説明したように、本第２実施形態の電子オルガン２００によれば、鍵盤ユニット１２０の高さ位置と、エクスプレッションペダル１３３の高さ位置とをそれぞれ独立して調整することができるため、上記第１実施形態の電子オルガン１００と同様、演奏者は、自身の身長に関係なく、最適な姿勢での演奏操作が可能となる。例えば身長の低い演奏者が演奏操作を行う場合には、図５に示すように、ジャッキアップ機構２４０Ｌ，２４０Ｒを上下方向に縮めることによって、鍵盤ユニット１２０と足鍵盤ペダル１３２，１３２，…との間の距離を調整し、さらに、ジャッキアップ機構１４０Ｕを上下方向に縮めることにより、鍵盤ユニット１２０とエクスプレッションペダル１３３との間の距離（足鍵盤ペダル１３２，１３２，…とエクスプレッションペダル１３３との間の距離）を調整する。この結果、演奏者は、最適な姿勢での演奏操作が可能となる。
【００４５】
また、本電子オルガン２００は、足鍵盤ペダル１３２，１３２，…の高さ位置（第２の高さ位置）を基準として、鍵盤ユニット１２０の高さ位置とエクスプレッションペダル１３３の高さ位置（第１の高さ位置）とを調整する構成であるため、鍵盤ユニット１２０の高さ位置を基準として各ペダル１３２，１３３の高さ位置を調整する構成に比べて、演奏者の身長が低いほど椅子の着座面を低く調整することが可能となり、演奏者の椅子への着座を比較的容易にすることができる。特に、本電子オルガン２００では、エクスプレッションペダル１３３よりも低い位置に設けられた足鍵盤ペダル１３２，１３２，…の高さ位置を基準としているため、椅子の着座面の高さをできるだけ低く調整することが可能となる。
【００４６】
加えて、本電子オルガン２００では、鍵盤ユニット１２０及びエクスプレッションペダル１３３の各高さ位置をジャッキアップ機構２４０Ｌ，２４０Ｒ，１４０Ｕによって調整する構成としているため、鍵盤ユニット１２０やエクスプレッションペダル１３３を着脱することで高さ位置を変更する構成に比べて調整作業を簡単に行うことができる。特に、本電子オルガン２００のジャッキアップ機構２４０Ｌ，２４０Ｒ，１４０Ｕは、ノブ１５２の回転量によって高さ位置を無段階に調整可能な構成であるため、高さ位置を段階的に調整する構成に比べてより細かな高さ位置の調整を行うことができる。
【００４７】
なお、本第２実施形態の電子オルガン２００では、足鍵盤ペダル１３２，１３２，…及びエクスプレッションペダル１３３が、本発明のペダルに相当し、ジャッキアップ機構２４０Ｌ，２４０Ｒ，１４０Ｕが、本発明の距離調整手段に相当する。特に、ジャッキアップ機構２４０Ｌ，２４０Ｒ，１４０Ｕが、第１の高さ位置を調整するための位置調整手段（鍵盤位置調整手段）に相当し、ジャッキアップ機構２４０Ｌ，２４０Ｒが、第２の高さ位置を調整するための位置調整手段（第２ペダル位置調整手段）に相当する。
【００４８】
以上、本発明の一実施形態について説明したが、本発明は、種々の形態を取り得ることは言うまでもない。
例えば、エクスプレッションペダル１３２が一定の高さ位置に固定され、鍵盤ユニット１２０及び足鍵盤ペダル１３２，１３２，…の各高さ位置が調整可能な構成とすることも可能である。このような構成の電子オルガンによれば、鍵盤ユニット１２０の高さ位置と、足鍵盤ペダル１３２，１３２，…の高さ位置とをそれぞれ独立して調整することができるため、上記各実施形態の電子オルガン１００，２００と同様、演奏者は、自身の身長に関係なく、最適な姿勢での演奏操作が可能となる。また、このような構成の電子オルガンによれば、第２実施形態の電子オルガン２００と同様、演奏者の身長が低いほど椅子の着座面を低く調整することとなり、演奏者の椅子への着座を比較的容易にすることができる。
【００４９】
また、上記各実施形態の電子オルガン１００，２００では、高さ位置を調整する対象となる鍵盤ユニット１２０やペダル１３２，１３３が、ジャッキアップ機構１４０Ｌ，１４０Ｒ，１４０Ｕ，２４０Ｌ，２４０Ｒで支持されることで高さ位置を調整可能に構成されているが、これに限ったものではない。例えば、高さ位置を調整する対象の鍵盤ユニットやペダルを、複数とおりの高さ位置において着脱可能に支持するよう構成してもよい。
【００５０】
一方、上記各実施形態では、鍵盤楽器として電子オルガンを例示したが、これ以外の鍵盤楽器に本発明を適用することももちろん可能である。
【図面の簡単な説明】
【００５１】
【図１】第１実施形態の電子オルガンの外観図である。
【図２】ジャッキアップ機構の外観図である。
【図３】高さ位置調整後の第１実施形態の電子オルガンの外観図である。
【図４】第２実施形態の電子オルガンの外観図である。
【図５】高さ位置調整後の第２実施形態の電子オルガンの外観図である。
【符号の説明】
【００５２】
１００，２００…電子オルガン、１１０Ｌ，１１０Ｒ…支持板、１２０…鍵盤ユニット、１２１…鍵盤、１３０，２３０…ペダルユニット、１３１，２３１…ペダルユニット本体、１３２…足鍵盤ペダル、１３３…エクスプレッションペダル、１４０Ｌ，１４０Ｒ，１４０Ｕ，２４０Ｌ，２４０Ｒ…ジャッキアップ機構、１４１…下部板、１４２Ｌ，１４２Ｒ…Ｘ形支持機構、１４３…上部板、１４４…調整機構、１４６Ｌ，１４６Ｒ，１４７Ｌ，１４７Ｒ…リンク材、１４９…押し部材、１５０…ねじ軸、１５１ｆ，１５１ｒ…軸支持板、１５２…ノブ、２１０Ｌ，２１０Ｒ…支持体、２１１Ｌ，２１１Ｒ…下部支持板、２１２Ｌ，２１２Ｒ…上部支持板
【図１】
2007057693.tif 000003
【図２】
2007057693.tif 000004
【図３】
2007057693.tif 000005
【図４】
2007057693.tif 000006
【図５】
2007057693.tif 000007